(57)【要約】【課題】本発明は、ネットワークへのアクセス認証だけでなく、利用環境及び以前のアクセス状態を再現できるログイン処理方法及びネットワークシステムを提供する。【解決手段】ログイン情報をログインの認証に用いる基本情報とユーザの利用環境等を再現するための拡張情報とから構成し、メインサーバ１が、基本情報でログイン処理の認証を行い、拡張情報でユーザの利用環境、利用ソフト及び各ソフトにおける処理の状況を読み取り、ユーザのクライアント４に再現して表示出力するログイン処理方法及びネットワークシステムである。【選択図】　　　　図１
2004030609.tif 000002
【特許請求の範囲】
【請求項１】
ユーザ利用のクライアントからのログインに際して、書き替え可能なログイン情報が前記クライアントからサーバに入力され、前記サーバにて当該ログイン情報における基本情報でネットワークへのログイン認証を行い、前記ログイン情報における拡張情報でユーザの利用環境を特定し、以前に利用されたユーザ環境を再現することを特徴とするログイン処理方法。
【請求項２】
ログイン情報における拡張情報には、当該ユーザが利用許可されたソフトウェアの情報と、当該ソフトウェアにおける利用状態を示すステータス情報と、直前の利用状態を示す直前状態情報と、当該ユーザにおける利用環境情報とを含むことを特徴とする請求項１記載のログイン処理方法。
【請求項３】
ユーザが利用許可されたソフトウェア及びユーザが利用したファイルをサーバに記憶し、ログイン情報における拡張情報で当該ソフトウェア及びファイルの利用が定義されていることを特徴とする請求項１又は２記載のログイン処理方法。
【請求項４】
ユーザが利用許可されたソフトウェアをサーバが管理する下位のサーバに記憶し、ログイン情報における拡張情報で前記下位のサーバに記憶するソフトウェアの利用が定義されていることを特徴とする請求項１乃至３のいずれか記載のログイン処理方法。
【請求項５】
ログイン情報はクライアントに接続する外部記録媒体から提供され、ユーザにおけるソフトウェアの利用があると、ログイン情報における拡張情報を更新することを特徴とする請求項１乃至４のいずれか記載のログイン処理方法。
【請求項６】
サーバにおいて、ログイン情報における拡張情報の利用環境情報からユーザの利用環境を特定し、直前状態情報から直前に利用されたソフトウェアの情報を取得し、前記ソフトウェアの情報から当該ソフトウェアにおける利用状態を示すステータス情報を取得し、前記ソフトウェアを起動し、前記ステータス情報に示されたファイルを開いてクライアントに表示出力することを特徴とする請求項２記載のログイン処理方法。
【請求項７】
サーバにおいて、クライアントで利用されるソフトウェアが選択されると、前記利用許可されたソフトウェアの情報に登録されているか否かを判断し、登録されていると対応するステータス情報を参照し、当該ステータス情報でソフトウェア利用を許可し、データの更新があると前記ステータス情報を更新し、直前状態情報を更新する請求項２記載のログイン処理方法。
【請求項８】
ユーザ利用のクライアントから書き替え可能なログイン情報が入力され、当該ログイン情報における基本情報でネットワークへのログイン認証を行い、前記ログイン情報における拡張情報でユーザの利用環境を特定し、以前に利用されたユーザ環境を再現するサーバを有することを特徴とするネットワークシステム。
【請求項９】
ログイン情報における拡張情報には、当該ユーザが利用許可されたソフトウェアの情報と、当該ソフトウェアにおける利用状態を示すステータス情報と、直前の利用状態を示す直前状態情報と、当該ユーザにおける利用環境情報とを含むことを特徴とする請求項８記載のネットワークシステム。
【請求項１０】
サーバは、ユーザが利用許可されたソフトウェア及びユーザが利用したファイルを記憶し、ログイン情報における拡張情報で当該ソフトウェア及びファイルの利用が定義されていることを特徴とする請求項８又は９記載のネットワークシステム。
【請求項１１】
サーバは、ユーザが利用許可されたソフトウェアを管理する下位のサーバに記憶し、ログイン情報における拡張情報で前記下位のサーバに記憶するソフトウェアの利用が定義されていることを特徴とする請求項８乃至１０のいずれか記載のネットワークシステム。
【請求項１２】
サーバは、ログイン情報をクライアントに接続する外部記録媒体から提供され、ユーザにおけるソフトウェアの利用があると、前記外部記録媒体に対してログイン情報における拡張情報を更新する制御を行うことを特徴とする請求項８乃至１１のいずれか記載のネットワークシステム。
【請求項１３】
サーバは、ログイン情報における拡張情報の利用環境情報からユーザの利用環境を特定し、直前状態情報から直前に利用されたソフトウェアの情報を取得し、前記ソフトウェアの情報から当該ソフトウェアにおける利用状態を示すステータス情報を取得し、前記ソフトウェアを起動し、前記ステータス情報に示されたファイルを開いてクライアントに表示出力することを特徴とする請求項９記載のネットワークシステム。
【請求項１４】
サーバは、クライアントで利用されるソフトウェアが選択されると、前記利用許可されたソフトウェアの情報に登録されているか否かを判断し、登録されていると対応するステータス情報を参照し、当該ステータス情報でソフトウェア利用を許可し、データの更新があると前記ステータス情報を更新し、直前状態情報を更新する請求項９記載のネットワークシステム。
【請求項１５】
ログイン情報には、基本情報と拡張情報とを含み、前記拡張情報には、当該ユーザが利用許可されたソフトウェアの情報と、当該ソフトウェアにおける利用状態を示すステータス情報と、直前の利用状態を示す直前状態情報と、当該ユーザにおける利用環境情報とを含み、サーバで動作するコンピュータプログラムは、ログイン情報における拡張情報の利用環境情報からユーザの利用環境を特定する処理と、直前状態情報から直前に利用されたソフトウェアの情報を取得する処理と、前記ソフトウェアの情報から当該ソフトウェアにおける利用状態を示すステータス情報を取得する処理と、前記ソフトウェアを起動する処理と、前記ステータス情報に示されたファイルを開いてクライアントに表示出力する処理とを有することを特徴とするコンピュータプログラム。
【請求項１６】
ログイン情報には、基本情報と拡張情報とを含み、前記拡張情報には、当該ユーザが利用許可されたソフトウェアの情報と、当該ソフトウェアにおける利用状態を示すステータス情報と、直前の利用状態を示す直前状態情報と、当該ユーザにおける利用環境情報とを含み、サーバで動作するコンピュータプログラムは、クライアントで利用されるソフトウェアが選択されると、前記利用許可されたソフトウェアの情報に登録されているか否かを判断する処理と、登録されていると対応するステータス情報を参照する処理と、当該ステータス情報でソフトウェア利用を許可する処理と、データの更新があると前記ステータス情報を更新する処理と、直前状態情報を更新する処理とを有することを特徴とするコンピュータプログラム。
【発明の詳細な説明】
【０００１】
【発明の属する技術分野】
本発明は、ネットワークシステムにおけるログイン処理方法に係り、特に、ユーザは以前にアクセスした状態で処理を再開できるログイン処理方法及びネットワークシステムに関する。
【０００２】
【従来の技術】
ネットワークシステムにおいて、クライアントのログイン処理は、当該ネットワークへのアクセスを認証するものであった。
また、ネットワークシステムで、ログイン処理の際のユーザ名、パスワードによってアクセス権限を変えるものもある。
【０００３】
尚、従来のネットワークシステムにおけるログイン処理の技術として、平成年１１年（１９９９年）９月２８日公開の特開平１１−２６５３４７号「分散ネットワークコンピューティングシステム、及びこのシステムに用いられる情報交換装置、情報交換方法、並びに情報交換方法のプログラム情報を格納したコンピュータ読取り可能な記憶媒体」（出願人：株式会社東芝、発明者：内海正樹他）がある。
この発明は、モバイルコンピューティング環境でもオフィスでの作業と同等の作業を継続して行えるようにし、通信切断にも適切に対処可能であると共に長時間を要するデータ処理作業等にあっても端末機器を有効活用が図れ且つ経済性に優れセキュリティ機能の向上、ログイン機能の改善を図るものである。
【０００４】
【特許文献１】
特開平１１−２６５３４７号公報
【０００５】
【発明が解決しようとする課題】
しかしならが、従来のネットワークシステムでは、ログイン処理はネットワークへのアクセス認証の機能しかなく、ユーザの利用環境、利用ソフトを管理し、以前にアクセスした状態を再現するといったものではなく、ユーザに対する利便性が充分配慮されていないという問題点があった。
【０００６】
本発明は上記実情に鑑みて為されたものであり、ネットワークへのアクセス認証だけでなく、利用環境及び以前のアクセス状態を再現できるログイン処理方法及びネットワークシステムを提供することを目的とする。
【０００７】
【課題を解決するための手段】
本発明は、ログイン処理方法及びネットワークシステムにおいて、ユーザ利用のクライアントからのログインに際して、書き替え可能なログイン情報がクライアントからサーバに入力され、サーバにて当該ログイン情報における基本情報でネットワークへのログイン認証を行い、ログイン情報における拡張情報でユーザの利用環境を特定し、以前に利用されたユーザ環境を再現するものであり、ユーザは以前利用した状態で利用可能となるため利便性を向上できる。
【０００８】
本発明は、上記ログイン処理方法及び上記ネットワークシステムにおいて、ユーザが利用許可されたソフトウェア及びユーザが利用したファイルをサーバに記憶し、ログイン情報における拡張情報で当該ソフトウェア及びファイルの利用が定義されているものであり、クライアントにソフトウェア及びファイルを保持しなくても、ユーザはネットワーク経由でソフトウェア及びファイルを利用できる。
【０００９】
本発明は、上記ログイン処理方法及び上記ネットワークシステムにおいて、ユーザが利用許可されたソフトウェアをサーバが管理する下位のサーバに記憶し、ログイン情報における拡張情報で下位のサーバに記憶するソフトウェアの利用が定義されているものであり、下位のサーバに記憶するソフトウェアをユーザが利用することで上位のサーバにおける負荷を軽減できる。
【００１０】
本発明は、上記ログイン処理方法及び上記ネットワークシステムにおいて、ログイン情報はクライアントに接続する外部記録媒体から提供され、ユーザにおけるソフトウェアの利用があると、ログイン情報における拡張情報を更新するものであり、書き替え可能なログイン情報を外部記録媒体から容易に入力でき、ユーザの利便性を向上できる。
【００１１】
【発明の実施の形態】
本発明の実施の形態について図面を参照しながら説明する。
本発明の実施の形態に係るネットワークシステムは、ログイン情報をログインの認証に用いる基本情報とユーザの利用環境等を再現するための拡張情報とから構成し、基本情報でログイン処理の認証を行い、拡張情報でユーザの利用環境、利用ソフト及び各ソフトにおける処理の状況を読み取り、ユーザのクライアントに再現して表示出力するものである。
これにより、クライアントはネットワークにログインするだけで、サーバから必要なソフト及びファイルを以前の状態で再現でき、直ちに処理を再開できるものである。
【００１２】
本発明の実施の形態に係るネットワークシステム（本システム）について図１を参照しながら説明する。図１は、本発明の実施の形態に係るネットワークシステムの概略構成図である。
本システムは、図１に示すように、メインサーバ１と、インターネット２と、サブサーバ３と、クライアント４とから基本的に構成されている。
メインサーバ１には、複数のサブサーバ３がインターネット２を介して接続し、サブサーバ３には、複数のクライアント４が接続している。
【００１３】
次に、本システムの各部を説明する前に、本発明の実施の形態に係るログイン情報の概要について図２を参照しながら説明する。図２は、本発明の実施の形態に係るログイン情報の概要を示す概略図である。
ログイン情報は、図２に示すように、基本情報と拡張情報とから構成されている。
基本情報とは、ネットワークへのログインを認証するために用いるデータ部分である。
【００１４】
拡張情報とは、ユーザの利用環境を再現するために用いる書き替え可能な（可変の）データ部分であり、利用許可ソフト情報と、ソフトのステータス情報と、その他のデータ部分とから構成されている。
【００１５】
利用許可ソフト情報とは、当該ユーザが利用することを許可されたソフトウェアの情報を示すデータ部分であり、複数の利用許可ソフトの情報が含まれる。
ソフトのステータス情報とは、利用許可ソフト情報における各利用可能なソフトウェアに対応するステータス情報を示すデータ部分であり、ファイルの所在を示すＭＡＣ（Ｍｅｄｉａ　Ａｃｃｅｓｓ　Ｃｏｎｔｒｏｌ）アドレス、ファイル名等が含まれる。
その他のデータ部分には、ユーザの直前の状態情報、ユーザのハードウェア等の利用資源情報が含まれる。
【００１６】
尚、基本情報によりユーザが一意に識別されることになり、メインサーバ１ではユーザ毎に利用許可されたソフトウェアの情報を管理・記憶して、拡張情報における利用許可ソフト情報に割り当てる。
【００１７】
また、ソフトのステータス情報、その他のデータ部分については、クライアント４での処理状態をメインサーバ１が監視して、その状態情報を拡張情報におけるソフトのステータス情報、その他のデータ部分の情報に割り当てる。
メインサーバ１におけるクライアント４の処理状態監視処理及びクライアント側への割り当て処理については、後述する。
【００１８】
尚、ソフトのステータス情報は、ファイルの所在、ファイル名を記憶するだけでなく、当該ファイルにおいてユーザが最終的にカーソルを置いた場所の情報も含まれる。例えば、ファイルａの３ページにおける第５ラインの１０文字目といった情報が含まれ、以前使用したファイルを直前の状態で再現できるようになっている。
【００１９】
次に、本システムの各部を具体的に説明する。
メインサーバ１は、クライアント４で為されたログイン処理を実行するもので、ログイン情報、パスワードを受信して、そのログイン情報に対するパスワードが適正であるか否かを検出し、適正であればユーザの利用環境をクライアント４にて再現する。
【００２０】
また、メインサーバ１は、ユーザが利用するソフトウェア及びファイルを記憶し、ユーザ毎に利用許可されたソフトウェア情報を記憶している。ここで、ソフトウェアはユーザの状況に応じてメインサーバ１の管理者がライセンスを受けているものである。尚、メインサーバ１の運用主体としてはインターネットプロバイダーが想定される。
【００２１】
メインサーバ１における具体的処理は、ログイン情報における基本情報とパスワードからユーザのネットワークに対するアクセス認証を行う。
更に、メインサーバ１は、アクセス認証が成功すると、ログイン情報における拡張情報を読み込み、利用資源情報からユーザ利用のハードウェア環境を特定し、直前の状態情報から直前に利用したソフトウェアを指定する情報を読み取り、当該ソフトウェアに対応するステータス情報を読み込んで、ユーザが直前に利用したソフトウェアを起動し、ユーザが直前に利用したファイルを開いて直ちに利用可能とするものである。
【００２２】
また、メインサーバ１は、クライアント２における処理状態を定期的に監視し、ユーザのハードウェア環境を利用資源情報として、利用中のソフトウェアを指定する情報を直前の状態情報として、利用中のファイルの所在、ファイル名等（カーソルの位置情報も含む）をソフトのステータス情報として、サーバ内に一時的に記憶し、ユーザが処理作業を終了する時に、サーバ内の利用資源情報、直前の状態情報、ソフトのステータス情報を、ログイン情報が記憶された外部記録媒体に対して、そのログイン情報の該当する拡張情報部分に書き込む。
上記定期的な監視処理に代えて、キーボード及びマウス等の入力装置からの入力がある度にサーバ内に一時記憶して、ユーザの処理作業終了時に外部記録媒体に書き込むようにしてもよい。
また、上記定期的な監視処理に代えて、ユーザがデータを保存する処理を行った場合にのみ、サーバ内に利用資源情報、直前の状態情報、ソフトのステータス情報を一時記憶し、ユーザの処理作業終了時に外部記録媒体に書き込むようにしてもよい。
【００２３】
インターネット２は、メインサーバ１とサブサーバ３とを接続するための通信媒体である。
サブサーバ３は、メインサーバ１（上位サーバ）に対して下位のサーバの役割を有し、複数のクライアント４が接続するもので、メインサーバ１の一部の機能を備えるものである。
【００２４】
具体的には、サブサーバ３は、ユーザが利用許可されたソフトウェアを記憶しており、クライアント４はログインが正常に為されると、利用するソフトウェアはサブサーバ３に記憶しているものを利用する。但し、メインサーバ１はログイン処理を行い、ユーザの利用ファイルも記憶している。
【００２５】
つまり、ログイン情報における拡張情報で、利用許可ソフト情報に指定されるソフトウェアはサブサーバ３に記憶するソフトウェアということになる。これにより、メインサーバ１の負荷を軽減できる。
【００２６】
また、サブサーバ３には、利用許可された代表的なソフトウェアのみを記憶し、それ以外のソフトウェアをメインサーバ１に記憶して処理を行わせれば、サブサーバ３に必要以上のソフトウェアを記憶させることを防止でき、ネットワークのトラフィックを低減しつつサブサーバ３の負荷を低減できる。
【００２７】
クライアント４は、ログイン情報を入力してネットワークへのアクセス認証を受け、認証が適正であればそのユーザの利用環境等が再現されるものである。
ここで、ログイン情報は、固定の基本情報と可変の拡張情報とを有しているので、通常のログイン情報のように手入力は現実的ではない。ログイン情報は、メモリを備えてＵＳＢ（Ｕｎｉｖｅｒｓａｌ　Ｓｅｒｉａｌ　Ｂｕｓ）キー（キー状のＵＳＢデバイス）、ＩＣカード等の外部記録媒体が好適である。
つまり、ログイン情報を記憶するＵＳＢキー又はＩＣカード等の外部記録媒体をクライアント４におけるＵＳＢポート又はＩＣカードリーダ等の読み取り装置に差し込み、ログイン情報の読み込み及び書き替えを行う。
【００２８】
また、クライアント４は、ログイン情報における拡張情報により利用可能なハードウェア資源（周辺機器及びクライアント４に接続可能な特定の装置も含む）、ソフトウェア資源が特定され、直前の状態情報から直前に利用したソフトウェアを起動し、直前にアクセスしたファイルを開き、前回の続き部分となる箇所を表示させる。
更に、ユーザの処理作業終了時に、メインサーバ１から利用資源情報、直前の状態情報、ソフトのステータス情報が送信され、上記外部記録媒体の該当部分を書き替える。
尚、特定の装置とは、ＭＲＩ（ｍａｇｎｅｔｉｃ　ｒｅｓｏｎａｎｃｅ　ｉｍａｇｉｎｇ：磁気共鳴画像診断）装置、ＣＴ（ｃｏｍｐｕｔｅｒｉｚｅｄ　ｔｏｍｏｇｒａｐｈｙ：コンピュータ断層撮影）装置、ＰＥＴ（ｐｏｓｉｔｒｏｎ　ｅｍｉｓｓｉｏｎ　ｔｏｍｏｇｒａｐｈｙ：陽電子［ポジトロン］放出断層撮影）装置等の測定器具等の装置をいい、当該装置に保持されたデータにクライアント４がアクセス可能とするようにしてもよい。
【００２９】
次に、本システムの動作について図３、図４を参照しながら説明する。図３は、ログイン処理の流れを示すフローチャートであり、図４は、ソフトウェア利用処理の流れを示すフローチャートである。
本システムにおけるログイン処理は、図３に示すように、クライアント４に接続するＵＳＢキー又はＩＣカードからログイン情報が読み込まれ、メインサーバ１にログイン情報が入力され（Ｓ１）、更にクライアント４からパスワードが入力される（Ｓ２）。
【００３０】
そして、メインサーバ１では、ログイン情報の基本情報とパスワードからユーザがログイン可能なユーザか否かを判断し（Ｓ３）、ログイン可能なユーザでなければ（Ｎｏの場合）、処理を終了する。また、ログイン可能なユーザであれば（Ｙｅｓの場合）、次にメインサーバ１はログイン情報の拡張情報を取得する（Ｓ４）。
【００３１】
そして、メインサーバ１は、拡張情報における直前の状態情報を参照し（Ｓ５）、直前の状態で利用されたソフトウェアを特定し、更に当該ソフトウェアのステータス情報を参照して、クライアント４に直前の状態を表示出力する（Ｓ６）。そして、ログイン処理を終了する。
【００３２】
また、本システムにおけるソフトウェア利用処理は、図４に示すように、利用ソフトの選択処理が為され（Ｓ１１）、次に、メインサーバ１は、選択された利用ソフトがログイン情報における拡張情報の利用許可ソフト情報に登録されているか否かを判断する（Ｓ１２）。
【００３３】
選択されたソフトウェアが利用許可ソフト情報に登録されていなければ（Ｎｏの場合）、当該選択されたソフトウェアに対してユーザは利用許可されていないとして、処理を終了する。
また、選択されたソフトウェアが利用許可ソフトに登録されていれば（Ｙｅｓの場合）、ログイン情報の拡張情報における対応するソフトウェアのステータス情報を参照する（Ｓ１３）。
【００３４】
参照したソフトウェアのステータス情報で定められた状況にてソフトウェアの利用を許可する（Ｓ１４）。この利用において、データ更新があるか否かを判断し（Ｓ１５）、データ更新があれば（Ｙｅｓの場合）、処理Ｓ１６に進み、データ更新がなければ（Ｎｏの場合）、処理Ｓ１７に進む。
【００３５】
データ更新があれば対応するソフトウェアのステータス情報を更新し（Ｓ１６）、処理Ｓ１７に進む。処理Ｓ１７では、直前の状態情報を更新する（Ｓ１７）。処理Ｓ１６，Ｓ１７では、メインサーバ１が、当該情報を保持し、クライアント４に対してこれら情報を送信して、クライアント４でＵＳＢキー又はＩＣカード等内のメモリに対してログイン情報の拡張情報を更新する。
【００３６】
本システムによれば、クライアントにおいて、ＵＳＢキー又はＩＣカード等に記憶された書き替え可能なログイン情報を用いて、ログイン処理を行い、その際に、ログイン情報における拡張情報を参照してユーザの利用環境を特定し、更にユーザが直前に利用したソフトウェアを起動して直前に利用したファイルを開くようにし、更にファイルの更新があると、ログイン情報の拡張情報を書き替えて次のアクセスにも迅速に対応可能としているので、ログイン処理にてユーザは直ちにソフトウェア及びファイルを利用でき、利便性を向上できる効果がある。
【００３７】
また、本システムでは、サブサーバ３に利用可能なソフトウェアを記憶させて、そのサブサーバ３に接続するクライアント４はサブサーバ３に記憶するソフトウェアを利用するようログイン情報の拡張情報を定義しておけば、メインサーバ１の負荷を軽減できる効果がある。
【００３８】
また、本システムでは、メインサーバ１でネットワークへのログインを管理し、クライアント４はメインサーバ１又はサブサーバ３に記憶するソフトウェアを利用し、ファイルもメインサーバ１で管理するようにしているので、クライアント４は、ソフトウェア及びファイルを記憶する必要がなく、従ってクライアント４はハードディスクを必要とせず、ネットワーク端末を容易に実現できる効果がある。
【００３９】
つまり、本システムでは、クライアント４がＵＳＢキー又はＩＣカード等でログイン情報を入力することで、クライアントを不特定多数のユーザで利用可能であり、更にクライアント４がハードディスクを備えない構成とすることで、耐震性を備え、電車又は飛行機内の座席に設置できる。
尚、クライアントをホテルの部屋に設置し、ホテル内にサブサーバ３を設ける構成も一例として考えられる。
【００４０】
また、本システムにおけるユーザは、ＵＳＢキー又はＩＣカード等を保持するだけで、設置されているいずれのクライアント４でも自己の環境にて利用可能となるので、外出することが多いユーザにとって利便性を更に向上できる効果がある。
【００４１】
また、本システムにおけるクライアント４を保有するユーザにとって、クライアント４がハードディスクを備えない構成のため端末を安価で軽量にすることができ、持ち運びの負担を軽減させることができる。
【００４２】
【発明の効果】
本発明によれば、ユーザ利用のクライアントからのログインに際して、書き替え可能なログイン情報がクライアントからサーバに入力され、サーバにて当該ログイン情報における基本情報でネットワークへのログイン認証を行い、ログイン情報における拡張情報でユーザの利用環境を特定し、以前に利用されたユーザ環境を再現するログイン処理方法及びネットワークシステムとしているので、ユーザは以前利用した状態で利用可能となるため利便性を向上できる効果がある。
【００４３】
本発明によれば、ユーザが利用許可されたソフトウェア及びユーザが利用したファイルをサーバに記憶し、ログイン情報における拡張情報で当該ソフトウェア及びファイルの利用が定義されている上記ログイン処理方法及び上記ネットワークシステムとしているので、クライアントにソフトウェア及びファイルを保持しなくても、ユーザはネットワーク経由でソフトウェア及びファイルを利用でき、利便性を向上できる効果がある。
【００４４】
本発明によれば、ユーザが利用許可されたソフトウェアをサーバが管理する下位のサーバに記憶し、ログイン情報における拡張情報で下位のサーバに記憶するソフトウェアの利用が定義されている上記ログイン処理方法及び上記ネットワークシステムとしているので、下位のサーバに記憶するソフトウェアをユーザが利用することで上位のサーバにおける負荷を軽減できる効果がある。
【００４５】
本発明によれば、ログイン情報はクライアントに接続する外部記録媒体から提供され、ユーザにおけるソフトウェアの利用があると、ログイン情報における拡張情報を更新する上記ログイン処理方法及び上記ネットワークシステムとしているので、書き替え可能なログイン情報を外部記録媒体から容易に入力でき、ユーザの利便性を向上できる効果がある。
【図面の簡単な説明】
【図１】本発明の実施の形態に係るネットワークシステムの概略構成図である。
【図２】本発明の実施の形態に係るログイン情報の概要を示す概略図である。
【図３】ログイン処理の流れを示すフローチャートである。
【図４】ソフトウェア利用処理の流れを示すフローチャートである。
【符号の説明】
１…メインサーバ、　２…インターネット、　３…サブサーバ、　４…クライアント
【図１】
2004030609.tif 000003
【図２】
2004030609.tif 000004
【図３】
2004030609.tif 000005
【図４】
2004030609.tif 000006